(57)【要約】【課題】無線通信システムにおける品質のフィードバックの信頼性を向上する方法およびシステム【解決手段】通信に関係するシステムおよび技術が開示される。システムおよび技術は、複数の時間期間において信号を送信することと、各パラメータが時間期間の中の異なる１時間期間中の信号伝送に関係している、複数のパラメータを受信することと、パラメータの中の第１のパラメータをフィルターにかけて、第１のフィルターにかけられたパラメータを生成することと、パラメータの中の第２のパラメータを、第１のフィルターにかけられたパラメータの関数としてフィルターにかけて、第２のフィルターにかけられたパラメータを生成することと、信号を、第２のフィルターにかけられたパラメータの関数として調整することとを含む。【選択図】図２
2010063146.tif 000002
【特許請求の範囲】
【請求項１】
複数の時間期間において信号を送信することと、
各パラメータが時間期間の中の異なる１時間期間中の信号伝送に関係している、複数のパラメータを受信することと、
パラメータの中の第１のパラメータをフィルターにかけて、第１のフィルターにかけられたパラメータを生成することと、
パラメータの中の第２のパラメータを、第１のフィルターにかけられたパラメータの関数としてフィルターにかけて、第２のフィルターにかけられたパラメータを生成することと、
信号伝送を、第２のフィルターにかけられたパラメータの関数として制御することとを含む通信方法。
【請求項２】
各パラメータが、各時間期間中の通信チャネル上の信号伝送の品質の測定値に関係している請求項１記載の方法。
【請求項３】
各パラメータが、各時間期間中の通信チャネル上の信号伝送の搬送波対干渉比に関係している請求項２記載の方法。
【請求項４】
パラメータの中の第２のパラメータをフィルターにかけることが、第２のパラメータの値を、第１のフィルターにかけられたパラメータの関数としての値の範囲に制限することを含む請求項１記載の方法。
【請求項５】
値の範囲が、第１のフィルターにかけられたパラメータの値よりも大きい最大値と、第１のフィルターにかけられたパラメータの値よりも小さい最小値とを含む請求項４記載の方法。
【請求項６】
第２のパラメータの値が、値の範囲内であるときは、第２のフィルターにかけられたパラメータは、第２のパラメータに等しい請求項５記載の方法。
【請求項７】
第２のパラメータが、範囲の最大値よりも大きいときは、第２のフィルターにかけられたパラメータは、範囲の最大値に等しい請求項５記載の方法。
【請求項８】
第２のパラメータが、範囲の最小値よりも小さいときは、第２のフィルターにかけられたパラメータは、範囲の最小値に等しい請求項５記載の方法。
【請求項９】
パラメータの中の第１のパラメータをフィルターにかけることが、パラメータのグループをフィルターにかけて、第１のフィルターにかけられたパラメータを含む、フィルターにかけられたパラメータのグループを生成することをさらに含み、パラメータの中の第２のパラメータをフィルターにかけることが、第２のパラメータの値を、フィルターにかけられたパラメータのグループの関数としての値の範囲に制限することを含む請求項１記載の方法。
【請求項１０】
パラメータの中の第２のパラメータをフィルターにかけることが、フィルターにかけられたパラメータのグループの平均値を計算することをさらに含み、値の範囲が、平均値よりも大きい最大値と平均値よりも小さい最小値とを含む請求項９記載の方法。
【請求項１１】
パラメータの中の第２のパラメータをフィルターにかけることが、フィルターにかけられたパラメータのグループの標準偏差を計算することをさらに含み、最大値が、平均値よりも高い標準偏差の１以上の倍数であり、最小値が、平均値よりも低い標準偏差の１以上の倍数である請求項１０記載の方法。
【請求項１２】
第２のパラメータの値が、値の範囲内であるときは、第２のフィルターにかけられたパラメータは、第２のパラメータに等しい請求項１１記載の方法。
【請求項１３】
第２のパラメータが、範囲の最大値よりも大きいときは、第２のフィルターにかけられたパラメータは、範囲の最大値に等しい請求項１１記載の方法。
【請求項１４】
第２のパラメータが、範囲の最小値よりも小さいときは、第２のフィルターにかけられたパラメータは、範囲の最小値に等しい請求項１１記載の方法。
【請求項１５】
信号伝送の制御が、伝送信号のデータレートを制御することを含む請求項１記載の方法。
【請求項１６】
複数の時間期間において伝送される信号に基づく通信の方法を行うコンピュータプログラムによって実行可能な命令のプログラムを具現するコンピュータ読み出し可能媒体であって、方法が、
各パラメータが時間期間の中の異なる１時間期間中の信号伝送に関係している、複数のパラメータを受信することと、
パラメータの中の第１のパラメータをフィルターにかけて、第１のフィルターにかけられたパラメータを生成することと、
パラメータの中の第２のパラメータを、第１のフィルターにかけられたパラメータの関数としてフィルターにかけて、第２のフィルターにかけられたパラメータを生成することと、
信号伝送を、第２のフィルターにかけられたパラメータの関数として制御することとを含むコンピュータ読み出し可能媒体。
【請求項１７】
各パラメータが、各時間期間中の通信チャネル上の信号伝送の品質の測定値に関係する請求項１６記載のコンピュータ読み出し可能媒体。
【請求項１８】
各パラメータが、各時間期間中の通信チャネル上の信号伝送の搬送波対干渉比に関係する請求項１７記載のコンピュータ読み出し可能媒体。
【請求項１９】
パラメータの中の第２のパラメータをフィルターにかけることが、第２のパラメータの値を、第１のフィルターにかけられたパラメータの関数としての値の範囲に制限することを含む請求項１６記載のコンピュータ読み出し可能媒体。
【請求項２０】
値の範囲が、第１のフィルターにかけられたパラメータの値よりも大きい最大値と、第１のフィルターにかけられたパラメータの値よりも小さい最小値とを含む請求項１９記載のコンピュータ読み出し可能媒体。
【請求項２１】
第２のパラメータの値が、値の範囲内であるときは、第２のフィルターにかけられたパラメータは、第２のパラメータに等しい請求項２０記載のコンピュータ読み出し可能媒体。
【請求項２２】
第２のパラメータが、範囲の最大値よりも大きいときは、第２のフィルターにかけられたパラメータは、範囲の最大値に等しい請求項２０記載のコンピュータ読み出し可能媒体。
【請求項２３】
第２のパラメータが、範囲の最小値よりも小さいときは、第２のフィルターにかけられたパラメータは、範囲の最小値に等しい請求項２０記載のコンピュータ読み出し可能媒体。
【請求項２４】
パラメータの中の第１のパラメータをフィルターにかけることが、パラメータのグループをフィルターにかけて、第１のフィルターにかけられたパラメータを含む、フィルターにかけられたパラメータのグループを生成することをさらに含み、パラメータの中の第２のパラメータをフィルターにかけることが、第２のパラメータの値を、フィルターにかけられたパラメータのグループの関数としての値の範囲に制限することを含む請求項１６記載のコンピュータ読み出し可能媒体。
【請求項２５】
パラメータの中の第２のパラメータをフィルターにかけることが、フィルターにかけられたパラメータのグループの平均値を計算することをさらに含み、値の範囲が、平均値よりも大きい最大値と平均値よりも小さい最小値とを含む請求項２４記載のコンピュータ読み出し可能媒体。
【請求項２６】
パラメータの中の第２のパラメータをフィルターにかけることが、フィルターにかけられたパラメータのグループの標準偏差を計算することをさらに含み、最大値が、平均値よりも高い標準偏差の１以上の倍数であり、最小値が、平均値よりも低い標準偏差の１以上の倍数である請求項２５記載のコンピュータ読み出し可能媒体。
【請求項２７】
第２のパラメータの値が、値の範囲内であるときは、第２のフィルターにかけられたパラメータは、第２のパラメータに等しい請求項２６記載のコンピュータ読み出し可能媒体。
【請求項２８】
第２のパラメータが、範囲の最大値よりも大きいときは、第２のフィルターにかけられたパラメータは、範囲の最大値に等しい請求項２６記載のコンピュータ読み出し可能媒体。
【請求項２９】
第２のパラメータが、範囲の最小値よりも小さいときは、第２のフィルターにかけられたパラメータは、範囲の最小値に等しい請求項２６記載のコンピュータ読み出し可能媒体。
【請求項３０】
信号伝送の制御が、信号伝送のデータレートを制御することを含む請求項１６記載のコンピュータ読み出し可能媒体。
【請求項３１】
複数の時間期間において信号を送信し、かつ各パラメータが時間期間の中の異なる１時間期間中の信号伝送に関係している、複数のパラメータを受信するように構成されたトランシーバと；
パラメータの中の第１のパラメータをフィルターにかけて、第１のフィルターにかけられたパラメータを生成し、パラメータの中の第２のパラメータを、第１のフィルターにかけられたパラメータの関数としてフィルターにかけて、第２のフィルターにかけられたパラメータを生成するように構成されたフィルターをもち、さらに加えて、信号伝送を、第２のフィルターにかけられたパラメータの関数として制御するように構成されたプロセッサとを含む装置。
【請求項３２】
各パラメータが、各時間期間中の通信チャネル上の信号伝送の品質の測定値に関係している請求項３１記載の装置。
【請求項３３】
各パラメータが、各時間期間中の通信チャネル上の信号伝送の搬送波対干渉比に関係している請求項３２記載の装置。
【請求項３４】
フィルターが、第２のパラメータの値を、第１のフィルターにかけられたパラメータの関数としての値の範囲に制限するようにも構成されている請求項３１記載の装置。
【請求項３５】
値の範囲が、第１のフィルターにかけられたパラメータの値よりも大きい最大値と、第１のフィルターにかけられたパラメータの値よりも小さい最小値とを含む請求項３４記載の装置。
【請求項３６】
第２のパラメータの値が、値の範囲内であるときは、第２のフィルターにかけられたパラメータは、第２のパラメータに等しい請求項３５記載の装置。
【請求項３７】
第２のパラメータが、範囲の最大値よりも大きいときは、第２のフィルターにかけられたパラメータは、範囲の最大値に等しい請求項３５記載の装置。
【請求項３８】
第２のパラメータが、範囲の最小値よりも小さいときは、第２のフィルターにかけられたパラメータは、範囲の最小値に等しい請求項３５記載の装置。
【請求項３９】
フィルターが、パラメータのグループをフィルターにかけて、第１のフィルターにかけられたパラメータを含むが、第２のフィルターにかけられたパラメータを含まない、フィルターにかけられたパラメータのグループを生成し、第２のパラメータの値を、フィルターにかけられたパラメータのグループの関数としての値の範囲に制限するようにも構成されている請求項３１記載の装置。
【請求項４０】
フィルターが、フィルターにかけられたパラメータのグループの平均値を計算するようにも構成されていて、値の範囲が、平均値よりも大きい最大値と平均値よりも小さい最小値とを含む請求項３９記載の装置。
【請求項４１】
フィルターが、フィルターにかけられたパラメータのグループの標準偏差を計算するようにも構成されていて、最大値が、平均値よりも高い標準偏差の１以上の倍数であり、最小値が、平均値よりも低い標準偏差の１以上の倍数である請求項４０記載の装置。
【請求項４２】
第２のパラメータの値が、値の範囲内であるときは、第２のフィルターにかけられたパラメータは、第２のパラメータに等しい請求項４１記載の装置。
【請求項４３】
第２のパラメータが、範囲の最大値よりも大きいときは、第２のフィルターにかけられたパラメータは、範囲の最大値に等しい請求項４１記載の装置。
【請求項４４】
第２のパラメータが、範囲の最小値よりも小さいときは、第２のフィルターにかけられたパラメータは、範囲の最小値に等しい請求項４１記載の装置。
【請求項４５】
プロセッサが、信号伝送を、そのデータレートを制御することによって制御するようにも構成されている請求項３１記載の装置。
【請求項４６】
複数の時間期間において信号を送信する手段と、
各パラメータが時間期間の中の異なる１時間期間中の信号伝送に関係している、複数のパラメータを受信する手段と、
パラメータの中の第１のパラメータをフィルターにかけて、第１のフィルターにかけられたパラメータを生成する手段と、
パラメータの中の第２のパラメータを、第１のフィルターにかけられたパラメータの関数としてフィルターにかけて、第２のフィルターにかけられたパラメータを生成する手段と、
信号伝送を、第２のフィルターにかけられたパラメータの関数として制御する手段とを含む装置。
【請求項４７】
各パラメータが、各時間期間中の通信チャネル上の信号伝送の品質の測定値に関係している請求項４６記載の装置。
【請求項４８】
各パラメータが、各時間期間中の通信チャネル上の信号伝送の搬送波対干渉比に関係している請求項４７記載の装置。
【請求項４９】
パラメータの中の第２のパラメータをフィルターにかける手段が、第２のパラメータの値を、第１のフィルターにかけられたパラメータの関数としての値の範囲に制限する手段をさらに含む請求項４６記載の装置。
【請求項５０】
値の範囲が、第１のフィルターにかけられたパラメータの値よりも大きい最大値と、第１のフィルターにかけられたパラメータの値よりも小さい最小値とを含む請求項４９記載の装置。
【請求項５１】
第２のパラメータの値が、値の範囲内であるときは、第２のフィルターにかけられたパラメータは、第２のパラメータに等しい請求項５０記載の装置。
【請求項５２】
第２のパラメータが、範囲の最大値よりも大きいときは、第２のフィルターにかけられたパラメータは、範囲の最大値に等しい請求項５０記載の装置。
【請求項５３】
第２のパラメータが、範囲の最小値よりも小さいときは、第２のフィルターにかけられたパラメータは、範囲の最小値に等しい請求項５０記載の装置。
【請求項５４】
パラメータの中の第１のパラメータをフィルターにかける手段が、パラメータのグループをフィルターにかけて、第１のフィルターにかけられたパラメータを含む、フィルターにかけられたパラメータのグループを生成する手段をさらに含み、パラメータの中の第２のパラメータをフィルターにかける手段が、第２のパラメータの値を、フィルターにかけられたパラメータのグループの関数としての値の範囲に制限する手段を含む請求項４６記載の装置。
【請求項５５】
パラメータの中の第２のパラメータをフィルターにかける手段が、フィルターにかけられたパラメータのグループの平均値を計算する手段をさらに含み、値の範囲が、平均値よりも大きい最大値と平均値よりも小さい最小値とを含む請求項５４記載の装置。
【請求項５６】
パラメータの中の第２のパラメータをフィルターにかける手段が、フィルターにかけられたパラメータのグループの標準偏差を計算する手段をさらに含み、最大値が、平均値よりも高い標準偏差の１以上の倍数であり、最小値が、平均値よりも低い標準偏差の１以上の倍数である請求項５５記載の装置。
【請求項５７】
第２のパラメータの値が、値の範囲内であるときは、第２のフィルターにかけられたパラメータは、第２のパラメータに等しい請求項５６記載の装置。
【請求項５８】
第２のパラメータが、範囲の最大値よりも大きいときは、第２のフィルターにかけられたパラメータは、範囲の最大値に等しい請求項５６記載の装置。
【請求項５９】
第２のパラメータが、範囲の最小値よりも小さいときは、第２のフィルターにかけられたパラメータは、範囲の最小値に等しい請求項５６記載の装置。
【請求項６０】
信号伝送を制御する手段が、信号伝送のデータレートを制御する手段をさらに含む請求項４６記載の装置。
【発明の詳細な説明】
【技術分野】
【０００１】
本発明は、概ね、通信に関し、とくに、無線通信システムにおけるフィードバックの信頼性を向上するためのシステムおよび技術に関する。
【背景技術】
【０００２】
受信機は、雑音があるところで、信号を、受信信号電力対雑音電力の比に基づいて、検出することができる。長年にわたって、この比率を計算するための種々の規約が策定されてきた。例えば、搬送波対干渉（carrier-to-interference, C/I）比、信号対雑音電力比（signal-to-noise power ratio, SNR）、およびビット当りのエネルギー対雑音および干渉比（energy-per-bit-to-noise plus interference ratio, Eｂ/Iｏ）は、受信機の性能を測定する多数の異なるやり方の中のほんの一部である。これらの用語または同様の用語は、業界で同義で使われることが多く、この開示のために、同じ意味をもつこととする。したがって、当業者には、無線通信システムにおける雑音の影響を測定する広い概念を含んだＣ/Ｉ比の基準が分かるであろう。
【０００３】
マルチアクセス通信システムでは、ユーザの容量を最大化するために、一般に、バンド幅を広げる技術を採用している。例えば、多くの送信機は、望ましいサービス品質を実現するのに必要な最低Ｃ/Ｉ比を維持するために、データレートを適応して高めるように設計されている。これは、一般に、“アウターループ制御”と呼ばれるもので実現することができ、“アウターループ制御”では、受信機においてＣ/Ｉ比を推定し、送信機にフィードバックを与え、データレートを調整する。このアプローチは、受信機が送信機に近接しているときに、適切に効果を現す。しかしながら、送信機の受信可能領域の縁端部で動作している受信機にとっては、送信機にフィードバックする推定Ｃ/Ｉ比が損われ、推定値が不自然に高くなる確率が高い。この不自然に高い推定値が原因で、送信機は、既存のチャネル状態のもとでの受信機の能力を超えるほど、伝送のデータレートを高くしてしまう。送信機が受信機からＣ/Ｉ比の推定値のみを定期的に受信し、オーバーヘッドを節約する通信システムでは、問題はより一層顕著になる。これらのシステムでは、伝送のデータレートが、長期間の間、受信機の能力を超えることがある。
【発明の概要】
【０００４】
本発明の１つの態様において、通信方法は、複数の時間期間において信号を送信することと、各パラメータが時間期間の中の異なる１時間期間中の信号伝送に関係している、複数のパラメータを受信することと、パラメータの中の第１のパラメータをフィルターにかけて、第１のフィルターにかけられたパラメータを生成することと、パラメータの中の第２のパラメータを、第１のフィルターにかけられたパラメータの関数としてフィルターにかけて、第２のフィルターにかけられたパラメータを生成することと、信号伝送を、第２のフィルターにかけられたパラメータの関数として制御することとを含む。
【０００５】
本発明の別の態様では、コンピュータプログラムによって実行可能な命令のプログラムを具現するコンピュータ読み出し可能媒体は、複数の時間期間において伝送される信号に基づく通信方法であって、各パラメータが時間期間の中の異なる１時間期間中の信号伝送に関係している、複数のパラメータを受信することと、パラメータの中の第１のパラメータをフィルターにかけて、第１のフィルターにかけられたパラメータを生成することと、パラメータの中の第２のパラメータを、第１のフィルターにかけられたパラメータの関数としてフィルターにかけて、第２のフィルターにかけられたパラメータを生成することと、信号伝送を、第２のフィルターにかけられたパラメータの関数として制御することとを含む方法を行う。
【０００６】
本発明のさらに別の態様では、装置は、複数の時間期間において信号を送信し、かつ各パラメータが時間期間の中の異なる１時間期間中の信号伝送に関係している、複数のパラメータを受信するように構成されたトランシーバと；パラメータの中の第１のパラメータをフィルターにかけて、第１のフィルターにかけられたパラメータを生成し、パラメータの中の第２のパラメータを、第１のフィルターにかけられたパラメータの関数としてフィルターにかけて、第２のフィルターにかけられたパラメータを生成するように構成されたフィルターをもち、さらに加えて、信号伝送を、第２のフィルターにかけられたパラメータの関数として制御するように構成されたプロセッサとを含む。
【０００７】
本発明の別の態様では、装置は、複数の時間期間において信号を送信する手段と、各パラメータが時間期間の中の異なる１時間期間中の信号伝送に関係している、複数のパラメータを受信する手段と、パラメータの中の第１のパラメータをフィルターにかけて、第１のフィルターにかけられたパラメータを生成する手段と、パラメータの中の第２のパラメータを、第１のフィルターにかけられたパラメータの関数としてフィルターにかけて、第２のフィルターにかけられたパラメータを生成する手段と、信号伝送を、第２のフィルターにかけられたパラメータの関数として制御する手段とを含む。
【０００８】
当業者には、本発明の例示的な実施形態が例証によってのみ示され、記載されている次の詳細な記述から、本発明の他の実施形態が容易に明らかになることが分かる。本発明は、本発明の意図および技術的範囲から逸脱しないものは全て、別の、および異なる実施形態が可能であり、そのいくつかの細部は、種々の別の箇所を変更できることが分かるであろう。したがって、図面および詳細な記述は、制限的ではなく、本質的に例証として解釈される。
【図面の簡単な説明】
【０００９】
【図１】例示的な無線通信システムにおいて基地局が加入者局と通信することを示す概念上のブロック図。
【図２】加入者局から基地局への、推定Ｃ/Ｉ比を保持する逆方向リンク伝送に使用される例示的な波形を示す図。
【図３】図１に関連して記載した、例示的な基地局および加入者局の機能ブロック図。
【図４】図３に関連して記載した、基地局の例示的なプロセッサの機能ブロック図。
【発明を実施するための形態】
【００１０】
本発明の態様は、添付の図面において、制限的ではなく、例示的に示されている。  
これより添付の図面に関連して示される詳細な記述は、本発明の例示的な実施形態を記載することを意図していて、本発明を実行できる唯一の実施形態を表わすことを意図していない。この記述全体で使用される“例示的”という用語は、“例、事例、または例証としての役割を果たす”ことを意味し、他の実施形態よりも好ましい、または優れていると必ずしも解釈すべきではない。詳細な記述は、本発明を全体的に理解させるための明細な詳細を含む。しかしながら、当業者には、本発明が、これらの明細な詳細がなくても実行されることは明らかであろう。いくつかの事例では、本発明の概念を曖昧にするのを避けるために、周知の構造および装置がブロック図で示されている。
【００１１】
図１は、例示的な無線通信システムにおいて、基地局102が加入者局104と通信することを示す概念上のブロック図である。加入者局104は、基地局102を介して、ネットワーク（図示されていない）にアクセスするか、または他の加入者局（図示されていない）と通信する。基地局102は、可変データレートで実行され、最低サービス品質要件を支援する、ほぼ最高データレートでの、または最高データレートでの伝送を保証することができる。最初に、加入者局104は、所定のアクセス手続きを使用して、基地局102との通信を設定する。通信が設定されると、加入者局104は、順方向リンク上で、基地局102からトラヒックおよび制御メッセージを受信することができ、逆方向リンク上で、基地局102へトラヒックおよび制御メッセージを送信することができる。順方向リンクは、基地局102から加入者局104への伝送を指し、逆方向リンクは、加入者局104から基地局102への伝送を指す。
【００１２】
加入者局104は、逆方向リンク上で基地局102へフィードバックを与え、性能を最適化することができる。フィードバックは、パラメータの形で、加入者局104において推定され、基地局102へフィードバックされ、順方向リンク伝送を制御することができる。パラメータは、既存のチャネル状態のもとでの順方向リンク伝送の品質に関係する。搬送波対干渉（Ｃ/Ｉ）比、信号対雑音電力比（ＳＮＲ）、およびビット当りのエネルギー対雑音および干渉比（Ｅｂ/Ｉｏ）は、このようなパラメータの一般的な例である。通信システムの少なくとも１つの実施形態では、Ｃ/Ｉ比の推定値を基地局102へフィードバックし、順方向リンク伝送のデータレートを効率的に制御する。順方向リンク上で伝送されたパイロット信号から、Ｃ/Ｉ比の推定値を、加入者局において計算することができる。パイロット信号は事前に分かるので、加入者局102のメモリ（図示されていない）に記憶されているパイロット信号の局部的に生成されるレプリカから、Ｃ/Ｉ比の推定値を計算することができる。その後で、推定Ｃ/Ｉ比を、ディジタルで量子化し、基地局102へフィードバックすることができる。
【００１３】
基地局102では、ルックアップテーブルを使用して、推定Ｃ/Ｉ比を順方向リンクのデータレートへマップすることができる。順方向リンクのデータレートは、モデルチャネル状態のマッピング関数に基づいて選択することができる。モデルチャネル状態を用いて非常に適切に追跡するこのアプローチは、順方向リンクのチャネル状態に適切に効果を現す。しかしながら、順方向リンクのチャネル状態が異なるとき、テーブルから得られるデータレートが最適レートよりも低いことがある。例えば、順方向リンクのチャネル状態が、モデルチャネル状態よりも悪いときは、テーブルから得られるデータレートが高過ぎて、加入者局104において相当な復号誤りが生じることがある。対照的に、順方向リンクのチャネル状態が、モデルチャネル状態よりも良いときは、テーブルから得られるデータレートが低過ぎて、有効なバンド幅を損われることがある。チャネル状態が変化するのにもかかわらず、最適性能を維持するために、Ｃ/Ｉ推定値がデータレートにマップされる前に、加入者局104からの追加のフィードバックを使用して、それを調整することができる。フィードバックは、加入者局104が復号に成功した順方向リンク伝送の各データパケットには、肯定応答（acknowledgement, ACK）メッセージ、加入者局104が復号に失敗した順方向リンク伝送の各データパケットには、否定応答（negative acknowledgement, NACK）メッセージの形をとることができる。この開示のために、“データパケット”という用語は、個々の通信応用に依存して、データパケットおよび音声パケットの両者を指すこととする。
【００１４】
推定Ｃ/Ｉ比を保持する逆方向リンク伝送に使用される例示的な波形は、図２に示されている。波形は、２０ミリ秒（millisecond, ms）のフレーム202に分割することができ、各フレームは１６個の１．２５ミリ秒の時間スロット204をもつ。説明を簡潔にするために、推定Ｃ/Ｉ比は、それ自身の制御チャネルをもつことが示されているが、当業者には容易に分かるように、推定Ｃ/Ｉ比は、通信環境、適用可能な業界標準、および全体的な設計の制約に依存して、任意の様式で逆方向リンク上で伝送される。例えば、推定Ｃ/Ｉ比は、１つ以上のトラヒックチャネルへパンクチャされる。その代りに、推定Ｃ/Ｉ比を、逆方向リンクのパイロット信号のような、他のオーバーヘッド信号と時分割多重化してもよい。推定Ｃ/Ｉ比を逆方向リンクのパイロット信号と時分割多重化することは、チャネルを分離するためにウオルシュ関数を使用する符号分割多重接続（code division multiple access, CDMA）システムのような、スペクトラム拡散通信において好都合である。これらのシステムでは、通常は全てがゼロから成るウオルシュ（Ｗ０）符号をパイロットチャネルに割り当てて、パイロット信号の変調を避けている。パイロットチャネル上で推定Ｃ/Ｉ比を伝送することによって、復調に伴う処理遅延を無くすことができる。各推定Ｃ/Ｉ比は、通常、いくつかのビットによって表現される。推定Ｃ/Ｉ比を表現するのにより多くのビットを使用すると、基地局において選択可能なデータレートを増やすことができる。オーバヘッドを低減するために、推定Ｃ/Ｉ比は、一般に、全時間スロットで伝送されるわけではない。そうではなく、各フレームの１時間スロットのみにおいて、推定Ｃ/Ｉ比206を伝送し、後の１５個の各時間スロットでは、アップ/ダウンビット208が続く。
【００１５】
図３は、図１に関連して記載した、例示的な基地局および加入者局の機能ブロック図である。加入者局104は、通常、アンテナ302を含み、アンテナ302は、自由空間において伝搬される順方向リンク伝送をトランシーバ304に接続する。トランシーバ304は、順方向リンク伝送をフィルターにかけ、増幅し、それを被変調ベースバンド信号へダウンコンバートするように構成することができる。復調器306は、被変調信号からソフトシンボル推定値を生成するのに使用することができる。ソフトシンボル推定値は、順方向誤り訂正のために復号器308に接続され、その後で、ダウンストリームのハードシンボル推定値が生成される。復号器308は、ソフトシンボル推定値の各データパケットの復号が成功したかどうかを示すＡＣＫまたはＮＡＣＫメッセージを生成することができる。
【００１６】
順方向リンクのパイロット信号は、通常は、符号化されていないので、パイロット信号から生成されたソフトシンボル推定値を、復調器306からＣ/Ｉ比推定器310へ直接に接続することができる。パイロットシンボル系列は事前に分かっているので、それを加入者局104のメモリ312に記憶することができる。Ｃ/Ｉ比推定器310は、順方向リンクのパイロット信号からのソフトシンボル推定値と、メモリ312に記憶されているパイロットシンボル系列とに基づいて、推定Ｃ/Ｉ比を計算し、その結果をディジタルで量子化することができる。Ｃ/Ｉの計算は、この分野において知られている手段、例えば、平均平方誤差（mean square error, MSE）アルゴリズムまたは他の適用可能なアルゴリズムによって行うことができる。
【００１７】
符号化器314を使用して、畳込み符号化およびインターリービングのような、種々の信号処理機能を、１つ以上のトラヒックチャネルに行うことができる。各時間スロットにおいて、符号化器314からのトラヒックを、復号器308からのＡＣＫまたはＮＡＣＫメッセージと一緒に、変調器316へ与えることができる。さらに加えて、各フレームの１時間スロットの間に、Ｃ/Ｉ比推定器310からの推定Ｃ/Ｉ比を変調器316へ与えることができる。Ｃ/Ｉ比推定器310は、後に続く１５個の各時間スロットにおいて、アップ/ダウンコマンドを生成して、変調器316へ与えることができる。推定Ｃ/Ｉ比（またはアップ/ダウンコマンド）と、ＡＣＫまたはＮＡＣＫメッセージとを、適切なチャネル上に置いて、この分野においてよく知られている手段によって、トラヒックチャネルと合成することができる。その代りに、推定Ｃ/Ｉ比（またはアップ/ダウンコマンド）と、ＡＣＫまたはＮＡＣＫメッセージとの一方または両方を、トラヒックチャネルの１つ以上へパンクチャしてもよい。何れにしても、種々のチャネルを、この分野においてよく知られている手段によって合成し、変調し、トランシーバ304に与え、トランシーバ304は、アップコンバージョン、フィルター処理、および増幅を行ってから、アンテナ302を介して、逆方向リンク上で伝送する。
【００１８】
逆方向リンク信号は、基地局102においてアンテナ318によって受信され、トランシーバ320へ与えられる。トランシーバ320は、逆方向リンク伝送をフィルターにかけ、増幅し、さらに加えて、被変調ベースバンド信号にダウンコンバートすることができる。復調器322を使用して、ベースバンド信号を復調することができる。復調信号は復号器324に与えられ、復号器324は、加入者局104において行われる信号処理機能の逆、具体的には、デインターリービングおよび復号を行う。
【００１９】
プロセッサ326は、多数の機能を行うように構成することができる。上述の例示的な通信システムでは、プロセッサ326を使用して、加入者局から基地局へ報告される推定Ｃ/Ｉ比およびアップ/ダウンコマンドに基づいて、順方向リンク伝送のデータレートを判断することができる。各フレームの適切な時間スロットの間に、推定Ｃ/Ｉ比を復調信号から抽出し、プロセッサ326へ与えることができる。推定Ｃ/Ｉ比は、基地局102における処理遅延を最小化するために、符号化またはインターリービングせずに、逆方向リンク上で伝送される。
【００２０】
プロセッサ326を使用して、符号化器328のデータレートを制御することができる。符号化器328は、プロセッサ326によって設定されたデータレートでの畳込み符号化、およびインターリービングのような、種々の信号処理機能を、１つ以上のトラヒックチャネルに行う。符号化器328からのトラヒックを変調器330に与え、ここで、トラヒックは、他のオーバーヘッドチャネルと合成され、変調される。被変調信号はトランシーバ320に与えられ、トランシーバ320は、アップコンバージョン、フィルター処理、および増幅を行ってから、アンテナ318を介して順方向リンク上で伝送する。
【００２１】
図４は、符号化器のデータレートを計算する例示的なプロセッサの機能ブロック図である。復調信号から抽出された推定Ｃ/Ｉ比は、追跡器402へ与えられる。追跡器402は、推定Ｃ/Ｉ比を各フレームに１回更新するメモリ（図示されていない）と、後に続く１５個の時間スロットにおいて、加入者局104から受信したアップ/ダウンコマンドにしたがって、メモリに記憶されている推定Ｃ/Ｉ比をインクリメントまたはデクリメントする追跡機能とを含む。追跡機能により、各時間スロットにおいて、ルックアップテーブル408を介して推定Ｃ/Ｉ比をデータレートにマップすることができる。
【００２２】
追跡器402からの推定Ｃ/Ｉ比は、データレートにマップされる前に、調整することができる。調整器406を使用して、ＡＣＫまたはＮＡＣＫメッセージに応答して、推定Ｃ/Ｉ比をインクリメントまたはデクリメントすることによって、チャネル状態の変化に対して、推定Ｃ/Ｉ比を適応して補償することができる。例えば、チャネル状態が、マッピング関数を生成するのに使用されるモデルチャネル状態よりも悪くなるときは、調整器406は、所与の推定Ｃ/Ｉ比をルックアップテーブル408に与える前に、それをデクリメントすることによって、その推定値よりもコンサバティブなデータレートを選択する。通常よりも多数のＮＡＣＫメッセージが加入者局から基地局へ報告されることによって、よりコンサバティブなデータレートの選択がトリガされる。対照的に、チャネル状態が、マッピング関数のモデルチャネル状態よりも良くなるときは、調整器406は、所与の推定Ｃ/Ｉ比をルックアップテーブル408に与える前に、それをインクリメントすることによって、その推定値よりもアグレッシブなデータレートを選択する。通常よりも多数のＡＣＫメッセージが加入者局から基地局へ報告されることによって、よりアグレッシブなデータレートの選択がトリガされる。
【００２３】
バンド幅を保持するために、ルックアップテーブル408は、通常、推定Ｃ/Ｉ比が低過ぎるときは、順方向リンク伝送を阻止する閾値関数を与える。都合の悪いことに、この閾値関数は、ときどき、基地局の地理的受信可能領域を小さくすることがある。既に記載したように、加入者局が基地局の受信可能領域の縁端部において動作しているとき、推定Ｃ/Ｉ比が基地局に到達し、不自然に高い推定値になるとき、それを損う確率が高い。この不自然に高い推定値は、順方向リンク伝送のデータレートを、既存のチャネル状態のもとでの加入者局の能力を越えるほど高くする傾向があり、通常よりも多数のＮＡＣＫメッセージが基地局に報告されることになる。ＮＡＣＫメッセージの数が増加すると、調整器406は、推定Ｃ/Ｉ比が閾値よりも低くなるまで、それを下げる。言い換えると、基地局が、受信可能領域の縁端部において動作している加入者局から、損われた推定Ｃ/Ｉ比を受信すると、加入者局が支援できないデータレートになるだけでなく、ＮＡＣＫメッセージの数が非常に多いために、推定Ｃ/Ｉ比を、順方向リンク伝送を支援するのに必要な閾値よりも低くする傾向があり、順方向リンク伝送が完全を失うことにもなる。
【００２４】
これらの条件のもとで順方向リンク伝送を完全に失うのを防ぐために、ＮＡＣＫメッセージに応答する推定Ｃ/Ｉ比の下げ方を制御するように、調整器406を構成することができる。例えば、ＮＡＣＫメッセージがＡＣＫメッセージの前であるときのみ、および後であるときのみ、推定Ｃ/Ｉ比を下げるように、調整器406を構成することができる。この構成では、ＮＡＣＫメッセージが２つ以上連続するときは、加入者局が、基地局の受信可能領域の縁端部で動作している特徴であるので、調整器406は応答しない。もちろん、当業者には、順方向リンク伝送を失うのを防ぐために、ＮＡＣＫメッセージを操作する他のアルゴリズムを求めることが容易にできるであろう。
【００２５】
Ｃ/Ｉ比推定の急激な変化を防ぐために、調整器406の前に、フィルター404を置いて、順方向リンク伝送を消してしまうのを防ぐこともできる。フィルター404は、個々の通信環境、システムの全体的な設計上の制約、および他の既知の考慮事項に依存して、種々のやり方で実行することができる。例えば、フィルター404は、１つの時間期間から次の時間期間への推定Ｃ/Ｉ比の最大変化を制限するアルゴリズムを用いて実行することができる。“時間期間”という用語は、任意の時間期間を定めるために、広義で使用されている。時間期間は、連続伝送を分割したり、またはバースト伝送を定めたりすることができる。その代りに、時間期間は、一連の伝送における各バースト伝送を分割することができる。大抵の場合に、時間期間は、通信システムの設計のパラメータに基づいて、いくつかの都合のよい値をとる。例えば、上述の例示的な通信システムでは、追跡機能のために、フィルター404の時間期間を１時間スロットに都合よく設定することができる。その代りに、フィルター404の時間期間を、１時間スロットの一部、多数の時間スロット、１フレーム、多数のフレーム、または他の都合のよい時間の尺度に設定してもよい。
【００２６】
フィルター404は、推定Ｃ/Ｉ比の急激な変化を防ぐ種々のアルゴリズムを用いて実行することができる。例えば、推定Ｃ/Ｉ比の最大変化を閾値に制限するアルゴリズムを使用することができる。閾値は、静的であるか、または、その代りに、変化するチャネル状態のもとで性能を最適化するように、適応するように調整することができる。静的な閾値を使用する例示的なアルゴリズムは、次のように表わすことができる。
【００２７】
｜Ｙ(t)−Ｘ(t-1)｜＜Ｔデシベル(dB)であるときは、Ｘ(t)＝Ｙ(t)
[Ｙ(t)−Ｘ(t-1)]＞Ｔデシベルであるときは、Ｘ(t)＝Ｘ(t-1)
[Ｙ(t)−Ｘ(t-1)]＜−Ｔデシベルであるときは、Ｘ(t)＝Ｘ(t-1)
ここで、Ｘ(t)は、時間スロットｔにおいてフィルターから出力される推定Ｃ/Ｉ比であり、
Ｙ(t)は、時間スロットｔにおいてフィルターへ入力される推定Ｃ/Ｉ比であり、
Ｘ(t-1)は、前の時間スロットにおいてフィルターから出力された推定Ｃ/Ｉ比であり、
Ｔは、デシベルの閾値である。
【００２８】
適応閾値を使用する例示的なアルゴリズムは、次のように表わすことができる。  
【数１】
2010063146.tif 000003
【００２９】
ここで、Ｘ(t)は、時間スロットｔにおいてフィルターから出力される推定Ｃ/Ｉ比であり、
Ｙ(t)は、時間スロットｔにおいてフィルターへ入力される推定Ｃ/Ｉ比であり、
【数２】
2010063146.tif 000004
【００３０】
は、Ｎ個の前の時間スロットにおいて計算された、フィルターから出力された推定Ｃ/Ｉ比の平均値であり、
σ(t-1)は、Ｎ個の前の時間スロットにおいて計算された、フィルターから出力された推定Ｃ/Ｉ比の標準偏差であり、
ａは、定数である。
【００３１】
このアルゴリズムを使用すると、任意の数Ｎの前のフィルターにかけられた推定値を使用して、平均値を生成することができる。その後で、推定Ｃ/Ｉ比の最大変化を、平均値から、標準偏差の1以上の倍数に制限するように、適応閾値を設定することができる。このアプローチが与える適応閾値は、推定Ｃ/Ｉ比が平均値の周りに密に集中しているときは、低くなり、推定Ｃ/Ｉ比が平均値の周りに広がって分散しているときは、高くなる。もちろん、個々の通信の応用および全体的な設計上の制約に依存して、他のアルゴリズムを使用してもよい。当業者には、この開示の教示に基づいて、このようなアルゴリズムを得ることが容易にできるであろう。
【００３２】
ここに開示された実施形態に関係して記載されている種々の例示的な論理ブロック、モジュール、および回路は、汎用プロセッサ、ディジタル信号プロセッサ（digital signal processor, DSP）、特定用途向け集積回路（application specific integrated circuit, ASIC）、フィールドプログラマブルゲートアレイ（field programmable gate array, FPGA）または他のプログラマブル論理装置、ディスクリートなゲートまたはトランジスタ論理、ディスクリートなハードウエア構成要素、あるいはここに記載されている機能を実行するように設計された任意の組合せで構成または実行される。汎用プロセッサは、マイクロプロセッサであってもよいが、その代わりに、従来のプロセッサ、制御装置、マイクロ制御装置、または状態機械であってもよい。また、プロセッサは、計算機の組合せ、例えば、１つのＤＳＰと１つのマイクロプロセッサとの組合せ、複数のマイクロプロセッサ、１つのＤＳＰのコアとの組み合わされた１つ以上のマイクロプロセッサ、または他のこのような構成としても実行される。
【００３３】
ここに開示された実施形態に関係して記載されている方法またはアルゴリズムは、ハードウエアにおいて、プロセッサによって実行されるソフトウエアモジュールにおいて、またはこの２つの組み合わせにおいて直接に具体化される。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、またはこの分野において知られている他の形態の記憶媒体の中にある。例示的な記憶媒体は、プロセッサが記憶媒体から情報を読み出し、かつ記憶媒体へ情報を書き込むことができるように、プロセッサに接続される。その代りに、記憶媒体は、プロセッサと一体構成であってもよい。プロセッサおよび記憶媒体は、ＡＳＩＣの中にある。ＡＳＩＣは、ユーザ端末の中にある。その代りに、プロセッサおよび記憶媒体は、ディスクリートな構成要素として、ユーザ端末の中にあってもよい。
【００３４】
開示された実施形態のこれまでの記述は、当業者が本発明を作成または使用できるようにするために与えられている。当業者には、これらの実施形態に対する種々の変更が容易に明らかであり、ここに定められている一般的な原理は、本発明の意図および技術的範囲から逸脱しないならば、他の実施形態に適用してもよい。したがって、本発明は、ここに示された実施形態に制限されることを意図されず、ここに開示されている原理および新奇な特徴に一致する最も幅広い範囲にしたがうことを意図される。
【図１】
2010063146.tif 000005
【図２】
2010063146.tif 000006
【図３】
2010063146.tif 000007
【図４】
2010063146.tif 000008
【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
複数の時間期間において信号を送信することと、
受信された信号電力対雑音電力の比に関して、信号伝送の品質に関係している複数のフィードバックパラメータを受信することと、各フィードバックパラメータは該複数の時間期間の中の１つに対応する、
第１のフィルターにかけられたパラメータを生成するために、該複数の時間期間からの第１の時間期間に、第１の受信されたフィードバックパラメータを生成することと、
該第１のフィルターにかけられたパラメータと第２の受信されたフィードバックパラメータとの間の差の関数として、第２のフィルターにかけられたフィードバックパラメータを生成するために、第２の時間期間に第２の受信されたフィードバックパラメータを生成することと、ここにおいて、該第２の時間期間は時間で該第１の時間期間に近い、
以降ＡＣＫメッセージまたはＮＡＣＫメッセージと呼ばれる受信された肯定応答または否定応答に応答して該第２のフィルターにかけられたフィードバックパラメータを調整することと、
信号伝送のデータレートを、該調整されたフィルターにかけられたパラメータの関数として制御するために制御信号を生成することとを含む通信方法。
【請求項２】
以降ＡＣＫメッセージまたはＮＡＣＫメッセージと呼ばれる受信された肯定応答または否定応答に応答して該第２のフィルターにかけられたフィードバックパラメータを調整することは、
ＡＣＫメッセージに応答して該第２のフィルターにかけられたフィードバックパラメータを上げること、
ＮＡＣＫメッセージに応答して該第２のフィルターにかけられたフィードバックパラメータを下げること、
を具備する請求項１記載の方法。
【請求項３】
ＮＡＣＫがＡＣＫの前であるときのみ、および後であるときのみ、該第２のフィルターにかけられたフィードバックパラメータを下げること、
をさらに具備する請求項２記載の方法。
【請求項４】
該第２のフィルターにかけられたフィードバックパラメータを生成することは、該差が所定の閾値内にあるときは、該第２のフィルターにかけられたフィードバックパラメータが該第２のフィードバックパラメータに等しいことを含み、および該差が該所定の閾値を越えるときは、該第２のフィルターにかけられたフィードバックパラメータが該閾値だけオフセットされた該第１のフィルターにかけられたフィードバックパラメータに等しいことを含むことを、さらに具備し、ここにおいて前記第２のフィルターにかけられたフィードバックパラメータは制御信号である請求項１記載の方法。
【請求項５】
該第２の時間期間と時間で近いパラメータのグループを生成すること、およびその後該パラメータのグループから平均を計算することをさらに具備する請求項１記載の方法。
【請求項６】
該パラメータのグループから標準偏差を計算することをさらに具備する請求項５記載の方法。
【請求項７】
コンピュータによって実行されるときに、請求項１乃至６のいずれか１項の該方法を該コンピュータに行わせる、複数の命令のプログラムを含むコンピュータ読み出し可能媒体。
【請求項８】
複数の時間期間において信号を送信するための手段、
受信された信号電力対雑音電力の比に関して、信号伝送の品質に関係している複数のフィードバックパラメータを受信するための手段、各フィードバックパラメータは該複数の時間期間の中の１つに対応する、
第１のフィルターにかけられたパラメータを生成するために、該複数の時間期間からの第１の時間期間に、第１の受信されたフィードバックパラメータを生成するための手段、
該第１のフィルターにかけられたパラメータと第２の受信されたフィードバックパラメータとの間の差の関数として、第２のフィルターにかけられたフィードバックパラメータを生成するために、第２の時間期間に第２の受信されたフィードバックパラメータを生成するための手段、ここにおいて、該第２の時間期間は時間で該第１の時間期間に近い、
以降ＡＣＫメッセージまたはＮＡＣＫメッセージと呼ばれる受信された肯定応答または否定応答に応答して該第２のフィルターにかけられたフィードバックパラメータを調整するための手段、
信号伝送のデータレートを、該調整されたフィルターにかけられたパラメータの関数として制御するために制御信号を生成するための手段
を具備する装置。
【請求項９】
以降ＡＣＫメッセージまたはＮＡＣＫメッセージと呼ばれる受信された肯定応答または否定応答に応答して該第２のフィルターにかけられたフィードバックパラメータを調整するための該手段は、
ＡＣＫメッセージに応答して該第２のフィルターにかけられたフィードバックパラメータを上げるための手段、
ＮＡＣＫメッセージに応答して該第２のフィルターにかけられたフィードバックパラメータを下げるための手段、
を具備する請求項８記載の装置。
【請求項１０】
ＮＡＣＫがＡＣＫの前であるときのみ、および後であるときのみ、該第２のフィルターにかけられたフィードバックパラメータを下げるための手段をさらに具備する請求項９記載の装置。
【請求項１１】
該制御信号を生成するための該手段は、該差が所定の閾値内にあるときは、該第２のフィルターにかけられたフィードバックパラメータが該制御信号として該第２のフィードバックパラメータに等しいことを含み、および該差が該所定の閾値を越えるときは、該第２のフィルターにかけられたフィードバックパラメータが該制御信号として該閾値だけオフセットされた該第１のフィルターにかけられたフィードバックパラメータに等しいことを含むための手段を、さらに具備する請求項８記載の装置。
【請求項１２】
該パラメータの他のものを生成するための該手段は、該第２の時間期間と時間で近いパラメータのグループを生成し、およびその後該パラメータのグループから平均を計算するための手段をさらに具備する請求項８記載の装置。
【請求項１３】
該パラメータのグループから標準偏差を計算するための手段をさらに具備する請求項８記載の装置。
【手続補正２】
【補正対象書類名】明細書
【補正対象項目名】００３４
【補正方法】変更
【補正の内容】
【００３４】
開示された実施形態のこれまでの記述は、当業者が本発明を作成または使用できるようにするために与えられている。当業者には、これらの実施形態に対する種々の変更が容易に明らかであり、ここに定められている一般的な原理は、本発明の意図および技術的範囲から逸脱しないならば、他の実施形態に適用してもよい。したがって、本発明は、ここに示された実施形態に制限されることを意図されず、ここに開示されている原理および新奇な特徴に一致する最も幅広い範囲にしたがうことを意図される。  
以下に、本願出願の当初の特許請求の範囲に記載された発明を付記する。
［１］複数の時間期間において信号を送信することと、
各パラメータが時間期間の中の異なる１時間期間中の信号伝送に関係している、複数のパラメータを受信することと、
パラメータの中の第１のパラメータをフィルターにかけて、第１のフィルターにかけられたパラメータを生成することと、
パラメータの中の第２のパラメータを、第１のフィルターにかけられたパラメータの関数としてフィルターにかけて、第２のフィルターにかけられたパラメータを生成することと、
信号伝送を、第２のフィルターにかけられたパラメータの関数として制御することとを含む通信方法。
［２］各パラメータが、各時間期間中の通信チャネル上の信号伝送の品質の測定値に関係している上記［１］記載の方法。
［３］各パラメータが、各時間期間中の通信チャネル上の信号伝送の搬送波対干渉比に関係している上記［２］記載の方法。
［４］パラメータの中の第２のパラメータをフィルターにかけることが、第２のパラメータの値を、第１のフィルターにかけられたパラメータの関数としての値の範囲に制限することを含む上記［１］記載の方法。
［５］値の範囲が、第１のフィルターにかけられたパラメータの値よりも大きい最大値と、第１のフィルターにかけられたパラメータの値よりも小さい最小値とを含む上記［４］記載の方法。
［６］第２のパラメータの値が、値の範囲内であるときは、第２のフィルターにかけられたパラメータは、第２のパラメータに等しい上記［５］記載の方法。
［７］第２のパラメータが、範囲の最大値よりも大きいときは、第２のフィルターにかけられたパラメータは、範囲の最大値に等しい上記［５］記載の方法。
［８］第２のパラメータが、範囲の最小値よりも小さいときは、第２のフィルターにかけられたパラメータは、範囲の最小値に等しい上記［５］記載の方法。
［９］パラメータの中の第１のパラメータをフィルターにかけることが、パラメータのグループをフィルターにかけて、第１のフィルターにかけられたパラメータを含む、フィルターにかけられたパラメータのグループを生成することをさらに含み、パラメータの中の第２のパラメータをフィルターにかけることが、第２のパラメータの値を、フィルターにかけられたパラメータのグループの関数としての値の範囲に制限することを含む上記［１］記載の方法。
［１０］パラメータの中の第２のパラメータをフィルターにかけることが、フィルターにかけられたパラメータのグループの平均値を計算することをさらに含み、値の範囲が、平均値よりも大きい最大値と平均値よりも小さい最小値とを含む上記［９］記載の方法。
［１１］パラメータの中の第２のパラメータをフィルターにかけることが、フィルターにかけられたパラメータのグループの標準偏差を計算することをさらに含み、最大値が、平均値よりも高い標準偏差の１以上の倍数であり、最小値が、平均値よりも低い標準偏差の１以上の倍数である上記［１０］記載の方法。
［１２］第２のパラメータの値が、値の範囲内であるときは、第２のフィルターにかけられたパラメータは、第２のパラメータに等しい上記［１１］記載の方法。
［１３］第２のパラメータが、範囲の最大値よりも大きいときは、第２のフィルターにかけられたパラメータは、範囲の最大値に等しい上記［１１］記載の方法。
［１４］第２のパラメータが、範囲の最小値よりも小さいときは、第２のフィルターにかけられたパラメータは、範囲の最小値に等しい上記［１１］記載の方法。
［１５］信号伝送の制御が、伝送信号のデータレートを制御することを含む上記［１］記載の方法。
［１６］複数の時間期間において伝送される信号に基づく通信の方法を行うコンピュータプログラムによって実行可能な命令のプログラムを具現するコンピュータ読み出し可能媒体であって、方法が、
各パラメータが時間期間の中の異なる１時間期間中の信号伝送に関係している、複数のパラメータを受信することと、
パラメータの中の第１のパラメータをフィルターにかけて、第１のフィルターにかけられたパラメータを生成することと、
パラメータの中の第２のパラメータを、第１のフィルターにかけられたパラメータの関数としてフィルターにかけて、第２のフィルターにかけられたパラメータを生成することと、
信号伝送を、第２のフィルターにかけられたパラメータの関数として制御することとを含むコンピュータ読み出し可能媒体。
［１７］各パラメータが、各時間期間中の通信チャネル上の信号伝送の品質の測定値に関係する上記［１６］記載のコンピュータ読み出し可能媒体。
［１８］各パラメータが、各時間期間中の通信チャネル上の信号伝送の搬送波対干渉比に関係する上記［１７］記載のコンピュータ読み出し可能媒体。
［１９］パラメータの中の第２のパラメータをフィルターにかけることが、第２のパラメータの値を、第１のフィルターにかけられたパラメータの関数としての値の範囲に制限することを含む上記［１６］記載のコンピュータ読み出し可能媒体。
［２０］値の範囲が、第１のフィルターにかけられたパラメータの値よりも大きい最大値と、第１のフィルターにかけられたパラメータの値よりも小さい最小値とを含む上記［１９］記載のコンピュータ読み出し可能媒体。
［２１］第２のパラメータの値が、値の範囲内であるときは、第２のフィルターにかけられたパラメータは、第２のパラメータに等しい上記［２０］記載のコンピュータ読み出し可能媒体。
［２２］第２のパラメータが、範囲の最大値よりも大きいときは、第２のフィルターにかけられたパラメータは、範囲の最大値に等しい上記［２０］記載のコンピュータ読み出し可能媒体。
［２３］第２のパラメータが、範囲の最小値よりも小さいときは、第２のフィルターにかけられたパラメータは、範囲の最小値に等しい上記［２０］記載のコンピュータ読み出し可能媒体。
［２４］パラメータの中の第１のパラメータをフィルターにかけることが、パラメータのグループをフィルターにかけて、第１のフィルターにかけられたパラメータを含む、フィルターにかけられたパラメータのグループを生成することをさらに含み、パラメータの中の第２のパラメータをフィルターにかけることが、第２のパラメータの値を、フィルターにかけられたパラメータのグループの関数としての値の範囲に制限することを含む上記［１６］記載のコンピュータ読み出し可能媒体。
［２５］パラメータの中の第２のパラメータをフィルターにかけることが、フィルターにかけられたパラメータのグループの平均値を計算することをさらに含み、値の範囲が、平均値よりも大きい最大値と平均値よりも小さい最小値とを含む上記［２４］記載のコンピュータ読み出し可能媒体。
［２６］パラメータの中の第２のパラメータをフィルターにかけることが、フィルターにかけられたパラメータのグループの標準偏差を計算することをさらに含み、最大値が、平均値よりも高い標準偏差の１以上の倍数であり、最小値が、平均値よりも低い標準偏差の１以上の倍数である上記［２５］記載のコンピュータ読み出し可能媒体。
［２７］第２のパラメータの値が、値の範囲内であるときは、第２のフィルターにかけられたパラメータは、第２のパラメータに等しい上記［２６］記載のコンピュータ読み出し可能媒体。
［２８］第２のパラメータが、範囲の最大値よりも大きいときは、第２のフィルターにかけられたパラメータは、範囲の最大値に等しい上記［２６］記載のコンピュータ読み出し可能媒体。
［２９］第２のパラメータが、範囲の最小値よりも小さいときは、第２のフィルターにかけられたパラメータは、範囲の最小値に等しい上記［２６］記載のコンピュータ読み出し可能媒体。
［３０］信号伝送の制御が、信号伝送のデータレートを制御することを含む上記［１６］記載のコンピュータ読み出し可能媒体。
［３１］複数の時間期間において信号を送信し、かつ各パラメータが時間期間の中の異なる１時間期間中の信号伝送に関係している、複数のパラメータを受信するように構成されたトランシーバと；
パラメータの中の第１のパラメータをフィルターにかけて、第１のフィルターにかけられたパラメータを生成し、パラメータの中の第２のパラメータを、第１のフィルターにかけられたパラメータの関数としてフィルターにかけて、第２のフィルターにかけられたパラメータを生成するように構成されたフィルターをもち、さらに加えて、信号伝送を、第２のフィルターにかけられたパラメータの関数として制御するように構成されたプロセッサとを含む装置。
［３２］各パラメータが、各時間期間中の通信チャネル上の信号伝送の品質の測定値に関係している上記［３１］記載の装置。
［３３］各パラメータが、各時間期間中の通信チャネル上の信号伝送の搬送波対干渉比に関係している上記［３２］記載の装置。
［３４］フィルターが、第２のパラメータの値を、第１のフィルターにかけられたパラメータの関数としての値の範囲に制限するようにも構成されている上記［３１］記載の装置。
［３５］値の範囲が、第１のフィルターにかけられたパラメータの値よりも大きい最大値と、第１のフィルターにかけられたパラメータの値よりも小さい最小値とを含む上記［３４］記載の装置。
［３６］第２のパラメータの値が、値の範囲内であるときは、第２のフィルターにかけられたパラメータは、第２のパラメータに等しい上記［３５］記載の装置。
［３７］第２のパラメータが、範囲の最大値よりも大きいときは、第２のフィルターにかけられたパラメータは、範囲の最大値に等しい上記［３５］記載の装置。
［３８］第２のパラメータが、範囲の最小値よりも小さいときは、第２のフィルターにかけられたパラメータは、範囲の最小値に等しい上記［３５］記載の装置。
［３９］フィルターが、パラメータのグループをフィルターにかけて、第１のフィルターにかけられたパラメータを含むが、第２のフィルターにかけられたパラメータを含まない、フィルターにかけられたパラメータのグループを生成し、第２のパラメータの値を、フィルターにかけられたパラメータのグループの関数としての値の範囲に制限するようにも構成されている上記［３１］記載の装置。
［４０］フィルターが、フィルターにかけられたパラメータのグループの平均値を計算するようにも構成されていて、値の範囲が、平均値よりも大きい最大値と平均値よりも小さい最小値とを含む上記［３９］記載の装置。
［４１］フィルターが、フィルターにかけられたパラメータのグループの標準偏差を計算するようにも構成されていて、最大値が、平均値よりも高い標準偏差の１以上の倍数であり、最小値が、平均値よりも低い標準偏差の１以上の倍数である上記［４０］記載の装置。
［４２］第２のパラメータの値が、値の範囲内であるときは、第２のフィルターにかけられたパラメータは、第２のパラメータに等しい上記［４１］記載の装置。
［４３］第２のパラメータが、範囲の最大値よりも大きいときは、第２のフィルターにかけられたパラメータは、範囲の最大値に等しい上記［４１］記載の装置。
［４４］第２のパラメータが、範囲の最小値よりも小さいときは、第２のフィルターにかけられたパラメータは、範囲の最小値に等しい上記［４１］記載の装置。
［４５］プロセッサが、信号伝送を、そのデータレートを制御することによって制御するようにも構成されている上記［３１］記載の装置。
［４６］複数の時間期間において信号を送信する手段と、
各パラメータが時間期間の中の異なる１時間期間中の信号伝送に関係している、複数のパラメータを受信する手段と、
パラメータの中の第１のパラメータをフィルターにかけて、第１のフィルターにかけられたパラメータを生成する手段と、
パラメータの中の第２のパラメータを、第１のフィルターにかけられたパラメータの関数としてフィルターにかけて、第２のフィルターにかけられたパラメータを生成する手段と、
信号伝送を、第２のフィルターにかけられたパラメータの関数として制御する手段とを含む装置。
［４７］各パラメータが、各時間期間中の通信チャネル上の信号伝送の品質の測定値に関係している上記［４６］記載の装置。
［４８］各パラメータが、各時間期間中の通信チャネル上の信号伝送の搬送波対干渉比に関係している上記［４７］記載の装置。
［４９］パラメータの中の第２のパラメータをフィルターにかける手段が、第２のパラメータの値を、第１のフィルターにかけられたパラメータの関数としての値の範囲に制限する手段をさらに含む上記［４６］記載の装置。
［５０］値の範囲が、第１のフィルターにかけられたパラメータの値よりも大きい最大値と、第１のフィルターにかけられたパラメータの値よりも小さい最小値とを含む上記［４９］記載の装置。
［５１］第２のパラメータの値が、値の範囲内であるときは、第２のフィルターにかけられたパラメータは、第２のパラメータに等しい上記［５０］記載の装置。
［５２］第２のパラメータが、範囲の最大値よりも大きいときは、第２のフィルターにかけられたパラメータは、範囲の最大値に等しい上記［５０］記載の装置。
［５３］第２のパラメータが、範囲の最小値よりも小さいときは、第２のフィルターにかけられたパラメータは、範囲の最小値に等しい上記［５０］記載の装置。
［５４］パラメータの中の第１のパラメータをフィルターにかける手段が、パラメータのグループをフィルターにかけて、第１のフィルターにかけられたパラメータを含む、フィルターにかけられたパラメータのグループを生成する手段をさらに含み、パラメータの中の第２のパラメータをフィルターにかける手段が、第２のパラメータの値を、フィルターにかけられたパラメータのグループの関数としての値の範囲に制限する手段を含む上記［４６］記載の装置。
［５５］パラメータの中の第２のパラメータをフィルターにかける手段が、フィルターにかけられたパラメータのグループの平均値を計算する手段をさらに含み、値の範囲が、平均値よりも大きい最大値と平均値よりも小さい最小値とを含む上記［５４］記載の装置。
［５６］パラメータの中の第２のパラメータをフィルターにかける手段が、フィルターにかけられたパラメータのグループの標準偏差を計算する手段をさらに含み、最大値が、平均値よりも高い標準偏差の１以上の倍数であり、最小値が、平均値よりも低い標準偏差の１以上の倍数である上記［５５］記載の装置。
［５７］第２のパラメータの値が、値の範囲内であるときは、第２のフィルターにかけられたパラメータは、第２のパラメータに等しい上記［５６］記載の装置。
［５８］第２のパラメータが、範囲の最大値よりも大きいときは、第２のフィルターにかけられたパラメータは、範囲の最大値に等しい上記［５６］記載の装置。
［５９］第２のパラメータが、範囲の最小値よりも小さいときは、第２のフィルターにかけられたパラメータは、範囲の最小値に等しい上記［５６］記載の装置。
［６０］信号伝送を制御する手段が、信号伝送のデータレートを制御する手段をさらに含む上記［４６］記載の装置。
【外国語明細書】
2010063146000001.pdf